(57)【要約】      （修正有）【課題】一人の作業者であっても、水準器等を用いて、パチンコ機の外枠を、一旦設定した傾斜角度を変えることなく、島枠に固定でき、これによりパチンコ機本体を所定の後傾角度で設置できて、所期の入賞率を安定させるようにする。【解決手段】パチンコ機を、島設備に対して所定の後傾角度で設置するための設置補助具であって、パチンコ機の外枠１の前面に平行な前面を有し、外枠の前面の実質的に全面に接当可能な略矩形の補助枠体１と、前記外枠１と補助枠体３の接当状態で該補助枠体３を前記外枠１に仮止めする少なくとも一つの連結部材４とからと成る。【選択図】図７
0003141308.tif 000002
【実用新案登録請求の範囲】
【請求項１】
外枠１の下部に該外枠１の略全体の前面よりも前方に突出した幕板２が突出する状態で一体的に設けられているパチンコ機を、島設備に対して所定の後傾角度で設置するための設置補助具であって、
前記パチンコ機の外枠１の前面の所定位置に接当可能な補助枠体３と、前記外枠１と補助枠体３の接当状態で該補助枠体３を前記外枠１に仮止めする少なくとも一つの連結部材４とから成り、
前記補助枠体３の下部に、前方に突出した前記幕板２に嵌合される段部５を有する前カマチ６が備えられ、
前記補助枠体３が、前記外枠１の前面１Ａに平行な前面３Ａを有し、且つ、
該前カマチ６には、前記外枠１の前記幕板２の上面２Ａに接当する支持部材７が設けられている、
ことを特徴とするパチンコ機の設置補助具。
【請求項２】
前記支持部材７がアングル材からなり、前記補助枠体３の両側部３Ｃ及び天板３Ｄには、アテ棒８、９が含まれ、その裏面８Ａ、９Ａが前記補助枠体３の裏面３Ｂと面一となるように構成されていることを特徴とする請求項１のパチンコ機の設置補助具。
【請求項３】
前記補助枠体３が、アルミの角材からなり、前記前カマチ６は、そのアルミの角材の溶接により構成され、また、前記連結部材４がクランプであることを特徴とする請求項１又は請求項２のパチンコ機の設置補助具。
【考案の詳細な説明】
【技術分野】
【０００１】  本考案は、パチンコ機を、ホールの島設備に設置するのに際して使用する設置補助具に関するものである。
【背景技術】
【０００２】  一般に、遊技場にパチンコ機を設置する場合、島設備の島枠にパチンコ機の外枠を固定し、しかる後にヒンジ金具を固定してパチンコ機本体を固定する。
この際、パチンコ機本体は、遊技盤面を流下する遊技球を所定の確率で入賞させるようにするために、所定の角度で後傾（本体上部が島設備内側に入り込む）させている。一般に多用されているこの種の傾斜角度としては、鉛直線に対して、通常、振り幅は、３分乃至５分５厘の５厘刻みの６段階（尺貫法）である。【０００３】  そして、このようにパチンコ機を所定の角度で後傾させるためには、外枠を島枠に仮止めした状態で、外枠の傾斜状態を検査することが必要であり、その為に、水準器（気泡利用）、錘等の手段が使用され、こうした測定手段については、種々提案されている。【０００４】  そして、外枠の傾斜角度を所定角度とした状態で島枠に固定（釘打ち）するのに、先ず、作業者が外枠の上部を島枠の天板に固定し、下部を手前に引きよせて、この外枠の側部前面に水準器を当て、角度を確認してから台カマチ（島枠）に固定（釘打ち）する。
こうした取り付け作業は、作業員が一人で行うのが普通であり、従って、水準器を当て付けた状態で固定（釘打ち）を行うというわけには行かないもので、一旦、水準器を置いて、ハンマーに持ち替えて釘打ちを行う必要があり、釘打ち途中で傾斜角度が変化してしまうことが多々ある。勿論、外枠を取り付けた後に角度を再確認し、ズレテいれば、当然に固定をし直す必要がある。【０００５】  このようなパチンコ機の島設備に対する取り付けかかわる先行術としては、例えば、次のようなものが提案されている。
【特許文献１】特開２００５−３２９２２５。
【特許文献２】特開２００４−１４７７５２。
【特許文献３】特開平８−１９６５６。
【考案の開示】
【考案が解決しようとする課題】
【０００６】  上記のような従来の固定方法は、パチンコ機の取り付け傾斜角度を所定の角度とするための種々の提案ではあるが、言わば事後処理的手法であって、現実の固定作業において発生する角度ズレを未然に回避できるようにする工夫ではなかったものである。
従って、従前において、外枠の上部を島枠の上部に釘止めして仮止めし、しかる後に、水準器等を用いて所定の傾斜角度に傾斜設定させ、島枠の下部に釘止めしていたものであるが、外枠の下部を手前側に引っ張って傾斜角度をつける際に、外枠の左右方向（パチンコ機の幅方向）において傾斜角度が異なる虞があった。その結果、このような外枠に対してパチンコ機本体を、ヒンジを介して固定しても、所望の後傾角度が得られず、所期の入賞率を期待できない事態が多々あった。【０００７】  本考案は、かかる問題点に鑑み、一人の作業者であっても、水準器等を用いて、パチンコ機の外枠を、一旦設定した傾斜角度を変えることなく、島枠に固定でき、これによりパチンコ機本体を所定の後傾角度で設置できて、所期の入賞率を安定させるようにすることを目的とする。
【課題を解決するための手段】
【０００８】  本考案にかかるパチンコ機の設置補助具は、上記課題を解決するために、請求項１に記載の通り、
外枠１の下部に該外枠１の略全体の前面よりも前方に突出した幕板２が突出する状態で一体的に設けられているパチンコ機を、島設備に対して所定の後傾角度で設置するための設置補助具であって、
前記パチンコ機の外枠１の前面の所定位置に接当可能な補助枠体３と、前記外枠１と補助枠体３の接当状態で該補助枠体３を前記外枠１に仮止めする少なくとも一つの連結部材４とから成り、
前記補助枠体３の下部に、前方に突出した前記幕板２に嵌合される段部５を有する前カマチ６が備えられ、
前記補助枠体３が、前記外枠１の前面１Ａに平行な前面３Ａを有し、且つ、
該前カマチ６には、前記外枠１の前記幕板２の上面２Ａに接当する支持部材７が設けられている、
ことを特徴とする。【０００９】  本考案にいうパチンコ機とは、遊技球を遊技盤面上に打ち出し、入賞口に入賞させるものであれば、その形態を問うものではない。
また、対象となる島設備についても、島枠が存在するものであれば、どのような形態の設備でもよいものである。
そして、パチンコ機の後傾について、その角度は、３分乃至５分５厘の５厘刻みの６段階（尺貫法）が適当であるが、角度限定の必要性はなく、要望に応じた角度とする。
また、パチンコ機の外枠とは、本体の外側に位置するもので、一般に木製の矩形状の枠体をいうもので、島枠に固定され、ヒンジを介してパチンコ機本体を固定するためのものである。
【考案の効果】
【００１０】  本考案によれば、補助枠体が外枠に連結部材で一体的に連結されていて、その補助枠体を手前側に引っ張ると外枠の全体が一様に前方に変位してくれて、幅方向（パチンコ機）における後傾の角度変化が外枠に生じ難く（外枠が撓み難い）、外枠全体の所期の後傾角度を確保し易いのである。
これにより、一人の作業者であっても、水準器等を用いて、パチンコ機の外枠を、一旦設定した傾斜角度を変えることなく、島枠に固定でき、パチンコ機を所定の後傾角度で島設備に設置することができて、所期の入賞率を確保できることで、遊技性を公正に保つことができる利点がある。【００１１】  そして、前記補助枠体が、前記外枠の前面に平行な前面を有しているので、両者が、連結部材で連結されたときに両社の平行性が確実に確保でき、前記補助枠体を操作したときに、外枠を平行移動させることができて、前記補助枠体を後傾させた角度がそのまま外枠の後傾角度とすることができる。そして、水準器を前記補助枠体の前面に当てつければ、直ちに外枠１の後傾角度を確認することができ、その角度調整を容易に行うことができる。
尚、爾後においては、連結部材を解除することで、補助枠体を外枠から容易に外すことができる。
本考案のその他の具体的な利点は、以下の説明から明らかとなろう。
【考案を実施するための最良の形態】
【００１２】  本考案の実施に際しては、前記補助枠体３の両側部３Ｃ及び天板３Ｄには、アテ棒８、９が含まれ、その裏面８Ａ、９Ａが前記補助枠体３の裏面３Ｂと面一となるように構成されていることが好ましい。
尚、ここにいうアテ棒とは、棒状体を指すものではなく、実際には平板状体であり、術語名称とは異なり、その外形状を特定するものではない。【００１３】  このように、前記補助枠体３の両側部３Ｃ及び天板３Ｄがアテ棒８、９を有することで、ここに上記連結部材４を係止させ易くすることができると共にこの部分で確実に前記外枠１に対する接当支持を行うことができる。
勿論、アテ棒が存在せず、前記補助枠体３の両側部３Ｃ及び天板３Ｄ自体が前記外枠１に接当する構成とされていてもよいことは勿論である。【００１３】  また、前記支持部材７がアングル材からなり、前記連結部材４がクランプであることが好ましい。
このように、支持部材７をアングル材で構成することは構造上、簡単に済むと共に幕板２の上面に対する当たりをスムースにし、以て、摩耗をよる両者の嵌合部位の変形（両者が木製であるので生じる）を無くして、常に角部分での接当を正確に行い、結果として補助枠体３と外枠１との接当状態を並行な状態に保つことで、外枠１の所期の後傾角度が常に補助枠体３の側に伝わるようにすることができる。【００１４】  そして、連結部材としてクランプを用いることで、補助枠体３を外枠１に対して、連結し、又は連結解除することが容易に行い得る。
勿論、クランプについては、幅方向（パチンコ機）において距離を離して２カ所で用いるのが好ましいが、十分な連結力があれば１箇所であっても差し支えない。
【実施例】
【００１５】  以下、本考案のパチンコ機の設置補助具の好適実施の形態を示し、図１は、補助枠体３の前方から見た全体の斜視図、図２は、補助枠体３の正面図、図３は、補助枠体３の背面図、図４は、補助枠体３の側面図、図５は、外枠１を補助枠体３に連結部材４（クランプ）を用いて連結した斜視図、図６は、外枠１を島枠１０に固定する一工程図、図７は、同様に外枠１を島枠１０に固定する一工程図、図８は、同様に外枠１を島枠１０に固定する一工程図である。図９は、水準器１１に代えて錘ゲージ１２を補助枠体３に取り付けて使用する状態を示す斜視図、図１０は、前記錘ゲージ１２の別形態図、図１１は、補助枠体３の別形態を示す前から見た斜視図、図１１は、その後側から見た斜視図である。【００１６】  この実施例で対象となるパチンコ機は、外枠１の下部に該外枠１の略全体の前面よりも前方に突出した幕板２が突出する状態で一体的に設けられているタイプのものである。
この設置補助具は、前記パチンコ機の外枠１の前面の実質的に全面に接当可能な略矩形の木製の補助枠体３（合成樹脂製でもよい）と、前記外枠１と補助枠体３の接当状態で該補助枠体３を前記外枠１に仮止めする二つの連結部材４、ここでは二つのクランプとからと成るものである。このクランプは、図５にも示すように、手操作で鉤形の操作棒を回して、スプリング力を利用して緊締を行うことができるもので、それ自体一般に用いられているものである。勿論、これに代わる適宜の連結手段を用いてよい。【００１７】  そして、前記補助枠体３の下部に、前方に突出した前記幕板２に嵌合される段部５を有する前カマチ６が備えられており、且つ、該前カマチ６には、図４にも示すように、前記外枠１の前記幕板２の上面２Ａに接当する支持部材７、ここでは、アングル材からなる支持部材が設けられている。【００１８】  また、前記補助枠体３は、この実施例では、前記外枠１の前面１Ａに平行な前面３Ａを有する。この構造によって、該補助枠体３の前面３Ａに水準器１１を当てることができ、この水準器１１を見ることで、前記外枠１の傾斜（後傾）をみることとなる。【００１９】  更に、前記補助枠体３の両側部３Ｃ及び天板３Ｄには、アテ棒８、９が含まれ、その裏面８Ａ、９Ａが前記補助枠体３の裏面３Ｂと面一となるように構成されている。このアテ棒８、９は、島枠１０に当て付けられるものであるが、この実施例では、前面に平面が向いた平板状体で構成されており、上記連結部材４（クランプ）に対する十分な止め代となる。【００２０】  そして、図１１及び図１２に示すのは、上記補助枠体３の変形例であって、ここでは、構成素材としてアルミ合金の角材を用いており、上述の外枠１の幕板２の上面２Ａに接当する支持部材７は、そのアルミ角材を重ねて溶接（Ｗ）して構成している。【００２１】  （作用）
上記の構成の設置補助具は、図６乃至図８に示すように、次の手順で使用される。
先ず、図６に示すように、パチンコ機から外した外枠１を、島設備の島枠１０の内部に持ち込み、島枠１０の上部に当て付け、その外枠１の上部を、島枠１０の上部に対して、内側から釘打ちして仮止めする。
次いで、前記外枠１に対して、前記補助枠体３を２個の連結部材４（クランプ）を用いて、それらの上部位置で、緊締する。
この際、前記補助枠体３の前カマチ６の段部５は、前記外枠１の幕板２の上面２Ａに乗るようにして嵌合された状態となる。【００２２】  図７に示すように、この後、前記補助枠体３を、その前カマチ６を把持して手前側に引き寄せ、上部の釘打ち位置を揺動中心として、該補助枠体３と共に外枠１を所定の角度で後傾させることができる。この後傾は、パチンコ機の機種、メーカー指示、遊技場の指示に基づいて決定されるが、３分乃至５分５厘の５厘刻みの６段階（尺貫法）から選択されるのが普通である。【００２３】  この際、補助枠体３と外枠１とは連結部材４（クランプ）で一体化されているので、その補助枠体３を手前に移動させた場合に、外枠１が全体として手前側に傾斜し、左右方向で異なる傾斜が現れる虞がないのである。
この状態で、前記補助枠体３の前面に水準器１１（気泡タイプ）を当て、所定の角度で傾斜されているどうか確認を行う。【００２４】  次いで、図８に示すように、前記外枠１の下部を、島枠１０の下部に所定の傾斜角度で釘止めする。しかる後、前記連結装置４のクランプを緩め、前記外枠１から前記補助枠体３を取り外す。そして、前記外枠１にヒンジ金具１３を連結して、そのヒンジ金具１３の他側部をパチンコ機本体に連結する。
このようにして、パチンコ機を、島枠１０に対して所定の後傾角度でもって設置、固定するのである。
尚、上述の設置工程として、補助枠体３と外枠１とを、２個の連結部材４（クランプ）を用いて予め連結しておき、島設備の島枠１０の内部に持ち込み、島枠１０の上部に当て付け、その外枠１の上部を、島枠１０の上部に対して、内側から釘打ちして仮止めするようにしてもよい。【００２５】（別態様）
ここでは、上記実施例における水準器１１（気泡タイプ）に代えて、錘ゲージを使用して外枠１の後傾角度を調節する。
図９に示すように、前記補助枠体３の内側に、錘ゲージ１２を枢着し、垂下させている。
そして、前記補助枠体３の前カマチ６の上面に、メモリを設けており、所定の角度にゲージが振れたことを見て、角度の調節を行う。
尚、外枠１の設置、固定の手順は上記実施例と変わらない。【００２６】  上記錘ゲージ１２の変化例として、図１０に示す。
ここでは、錘ゲージ１２を、ケージング１２Ａの内部に装着し、その上端分を枢着して垂下させ、振り幅を見ることができるように構成されており、そのケージング１２Ａを補助枠３の内側に設置するようにして用いる。
【産業上の利用可能性】
【００２７】  本考案におけるパチンコ機の設置補助具は、外枠を所定の後傾角度で島設備に固定するタイプのパチンコ機であれば、どのようなタイプの機種でも適応でき、その応用範囲は広い。
【図面の簡単な説明】
【００２８】
【図１】本考案にかかるパチンコ機の設置補助具の補助枠体の全体の前方から見た斜視図である。
【図２】本考案にかかるパチンコ機の設置補助具の補助枠体の全体の後方から見た斜視図である。
【図３】本考案にかかる補助枠体の背面図である。
【図４】本考案にかかる補助枠体の一側面図である。
【図５】本考案にかかる補助枠体の他側面図である。
【図６】本考案にかかる外枠を島枠に固定するための一工程図としての斜視図である。
【図７】本考案にかかる外枠を島枠に固定するための一工程図としての斜視図である。
【図８】本考案にかかる外枠を島枠に固定するための一工程図としての断面図である。
【図９】本考案の別態様を示す錘ゲージを使用する斜視図である。
【図１０】本考案の別態様を示す錘ゲージの別形態を示す斜視図である。
【図１１】本考案の別態様を示す補助枠体の前から見た斜視図である。
【図１２】本考案の別態様を示す補助枠体の後ろから見た斜視図である。
【符号の説明】
【００２９】１：外枠
１Ａ：外枠の前面
２：幕板
２Ａ：上面
３：補助枠体
３Ａ：補助枠体の前面
３Ｂ：補助枠体の裏面
３Ｃ：補助枠体の両側部
３Ｄ：天板
４：連結部材
５：段部
６：前カマチ
７：支持部材
８：アテ棒
８Ａ：アテ棒８の裏面
９：アテ棒
９Ａ：アテ棒の裏面
【図１】
0003141308.tif 000003
【図２】
0003141308.tif 000004
【図３】
0003141308.tif 000005
【図４】
0003141308.tif 000006
【図５】
0003141308.tif 000007
【図６】
0003141308.tif 000008
【図７】
0003141308.tif 000009
【図８】
0003141308.tif 000010
【図９】
0003141308.tif 000011
【図１０】
0003141308.tif 000012
【図１１】
0003141308.tif 000013
【図１２】
0003141308.tif 000014